(57)【特許請求の範囲】
【請求項１】
搬入される物品を加熱して乾燥滅菌を行う加熱部と、この加熱部から搬送される加熱された物品を冷却する冷却部とを備えた乾燥滅菌機において、
冷却部には、エアを冷却する熱交換器と、エアをフィルタを介して冷却処理室に送り循環させるファンとを設けるとともに、エアを加熱して乾燥滅菌を行う加熱手段を設け、冷却処理室から熱交換器を経由してファンに到る経路と、冷却処理室から熱交換器を迂回してファンに到る経路とに切換可能な切換手段を設けたことを特徴とする乾燥滅菌機。
【請求項２】
冷却部には、外気を取り入れ可能な外気取り入れ手段を設けたことを特徴とする請求項１に記載の乾燥滅菌機。
【請求項３】
冷却処理室には、冷却処理室のエア温度を検出する温度検出手段を設けるとともに、検出されたエア温度に基づいて、切換手段と取り入れ手段とのうち少なくともいずれか一方を選択して制御する制御手段を設けたことを特徴とする請求項２に記載の乾燥滅菌機。
【請求項４】
制御手段は、切換手段を動作させて冷却処理室から熱交換機を迂回させてファンに到る経路に切り換え、加熱手段を動作させ外気を取り入れないで形成される加熱経路と、この加熱経路と同一の経路で加熱手段の動作が停止される第１の冷却経路と、前記切換手段により熱交換器を迂回させてファンに到る経路に切り換えたまま、加熱手段が非動作状態で前記取り入れ手段により外気を取り入れて形成される第２の冷却経路と、前記切換手段を動作させて冷却処理室から熱交換器を経由させてファンに至る経路に切り換え、前記加熱手段を非動作状態のまま外気を取り入れて形成される第３の冷却経路との各経路を選択して切り換えるようにしたことを特徴とする請求項３に記載の乾燥滅菌機。
【発明の詳細な説明】
【０００１】
【発明が属する技術分野】
本発明は乾燥滅菌機に係り、特に、熱風循環ファンからダクトを介して供給された乾燥滅菌エアを、耐熱フィルタを透過させて浄化した後、乾燥滅菌空間内に導入して物品の乾燥滅菌を行い、その後冷却処理するトンネル型乾燥滅菌機に関するものである。
【０００２】
【従来の技術】
トンネル型乾燥滅菌機では、上流側から順に入口領域を構成する挿入部、滅菌領域を構成する加熱滅菌部および冷却領域を構成する冷却部からなっている。この乾燥滅菌機の上流側には、洗浄機が、下流側には、充填機がそれぞれ接続される。各部の処理室内の圧力は厳密に制御され、冷却部の圧力が最も高く、次いで加熱滅菌部が、そして挿入部が最も低くなっている（冷却部内の圧力＞加熱滅菌部の圧力＞挿入部の圧力）。このため、冷却部から加熱滅菌部を経て挿入部に向けてエアの流れが生じるようになっている。
【０００３】
加熱滅菌部は、乾燥滅菌エアを加圧供給して内部を循環させるファンと、前記乾燥滅菌エアを浄化するフィルタと、前記ファンから送風されたエアをフィルタに案内するダクトとを備えており、上流側の挿入部から加熱滅菌部内に搬入されてコンベヤによって搬送されている物品に、前記フィルタで浄化された乾燥滅菌エアを吹き付けて乾燥滅菌した後、下流側の冷却部に排出するようになっている。冷却部は、内部のエアを冷却する熱交換器と、冷却されたエアを加圧供給して内部を循環させるファンと、この冷却されたエアを浄化するフィルタ（ＨＥＰＡフィルタ）と、浄化された冷却エアを室内に導き物品を冷却処理する冷却処理室とを備えている。冷却処理された物品は、下流側の充填機に送られるようになっている。冷却部には、外部に開口する外気取り入れ口が設けられ、生産運転時、内部の陽圧を保持するようになっている。ＨＥＰＡフィルタは高温エアの浄化に使用される。
【０００４】
ところで、下流側充填機の無菌状態が破られると、無菌でないエアが冷却処理室内に侵入する畏れがある。このため、従来の乾燥滅菌機では、冷却部にヒータを設け、冷却処理室を加熱滅菌するようにしている。
【０００５】
【発明が解決しようとする課題】
冷却処理室を加熱滅菌するには、ヒータの加熱により内部の温度をセ氏１８０度程度で所定の時間保持する必要がある。加熱滅菌後、冷却部内の温度が高温状態で、例えばセ氏１８０度になっている状態でエアをそのまま熱交換器（エアクーラー）に通すことはできない。セ氏１００度以上の熱風を流す場合には、第１種圧力容器となるため、加熱滅菌するたびに熱交換器の冷媒を給排水しなければならず、作業が煩わしくなるという問題がある。これに対し、ヒータが自然に冷えるのを待つという手段もあるものの非常に時間がかかり作業効率が悪い。また、加熱滅菌後、冷却部内を高温状態から急速に冷却すると、温度差の激しい使い方によりＨＥＰＡフィルタの損傷を招くおそれがある。
【０００６】
さらに、冷却部には、内部の陽圧を保持するため外気取り入れ口が設けられているが、外気の取り込み量を任意に変化させることができず、陽圧度の管理が難しいという問題があった。
【０００７】
本発明は前記課題を解決するためになされたもので、冷媒の給排水が不要で、冷却工程の時間を短縮することができ、しかも、フィルタを良好に維持する温度管理を行うことができるとともに、陽圧度の管理を容易に行うことができる乾燥滅菌機を提供することを目的とするものである。
【０００８】
【課題を解決するための手段】
本発明に係る乾燥滅菌機は、搬入される物品を加熱して乾燥滅菌を行う加熱部と、この加熱部から搬送される加熱された物品を冷却する冷却部とを備えた乾燥滅菌機において、冷却部には、エアを冷却する熱交換器と、エアをフィルタを介して冷却処理室に送り循環させるファンとを設けるとともに、エアを加熱して乾燥滅菌を行う加熱手段を設け、冷却処理室から熱交換器を経由してファンに到る経路と冷却処理室から熱交換器を迂回してファンに到る経路とに切換可能な切換手段を設けたものである。
【０００９】
また、請求項２に係る乾燥滅菌機は、冷却部には、外気を取り入れ可能な外気取り入れ手段を設けたものである。
【００１０】
さらに、請求項３に係る乾燥滅菌機は、冷却処理室には、冷却処理室のエア温度を検出する温度検出手段を設けるとともに、検出されたエア温度に基づいて、切換手段と取り入れ手段とのうち少なくともいずれか一方を選択して制御する制御手段を設けたものである。
【００１１】
請求項４に係る乾燥滅菌機は、制御手段は、切換手段を動作させて冷却処理室から熱交換器を迂回させてファンに到る経路に切り換え、加熱手段を動作させ外気を取り入れないで形成される加熱経路と、この加熱経路と同一の経路で加熱手段の動作が停止される第１の冷却経路と、前記切換手段により熱交換器を迂回させてファンに到る経路に切り換えたまま、加熱手段が非動作状態で前記取り入れ手段により外気を取り入れて形成される第２の冷却経路と、前記切換手段を動作させて冷却処理室から熱交換器を経由させてファンに到る経路に切り換え、前記加熱手段を非動作状態のまま外気を取り入れて形成される第３の冷却経路との各経路を選択して切り換えるようにしたものである。
【００１２】
【発明の実施の形態】
以下、図面に示す実施の形態により本発明を説明する。図１は本発明の一実施の形態に係る乾燥滅菌機の一部破断側面図、図２は図１のＩＩ−ＩＩ線に沿う断面図である。この乾燥滅菌機は、図１に示すように、機枠２の内部が加熱部（滅菌領域）Ａ、この加熱部Ａの上流側（図１の左側）が挿入部（入口領域）Ｂであり、上流側から搬送されてきた容器等の物品（図示せず）がこの挿入部Ｂから加熱部Ａ内に挿入される。また、加熱部Ａの下流側（図１の右側）が冷却部（冷却領域）Ｃであり、加熱部Ａで乾燥滅菌された容器（図示せず）が冷却部Ｃに排出されて冷却される。この冷却部Ｃは、下流側の充填室（図示せず）に接続されており、容器は冷却された後充填室に送られる。
【００１３】
冷却部Ｃ（機枠２の内部）の下部側には、幅の広い容器搬送コンベヤ６が設置されており、この搬送コンベヤ６の両側に設けられたガイド６ａ、６ａ間に、前記挿入部Ｂから挿入された多数の容器（図示せず）が案内されて、図１の矢印方向に連続的に搬送される。この搬送コンベヤ６の上方の空間が冷却処理室（冷却処理空間）８になっており、冷却部Ｃの上部に設けられた循環ファン１０から加圧供給されたエアが、ダクト１２を介して耐熱フィルタ（ＨＥＰＡフィルタ）１４に導入され、このフィルタ１４によって浄化された後、前記冷却処理室８に送られる。冷却処理室８の下方に配置された搬送コンベヤ６は上下にエアが通過できるようになっており、フィルタ１４によって浄化されたエアは、この搬送コンベヤ６を上方から下方へと通過して、搬送されている容器等の物品（図示せず）を冷却する。冷却部Ｃには、図１に示すように、循環ファン１０、ダクト１２、耐熱フィルタ１４および冷却処理室８からなる送風浄化機構が上下流側に２台設置されている。
【００１４】
この実施の形態に係る乾燥滅菌機では、図２に示すように、機枠２内には、冷却処理室８から循環ファン１０を結ぶ経路に第１ないし第３の区画室２１、２２、２３がそれぞれ順に形成される。冷却処理室８と連通する第１の区画室２１には、ヒータ（加熱手段）１６が、第２の区画室２２には、熱交換器（エアークーラー）１８が、第３の区画室２３には、循環ファン１０がそれぞれ配置される。第３の区画室２３下方の空間には、ダクト１２下端に接続される耐熱フィルタ１４と冷却処理室８が配置され、耐熱フィルタ１４側から漏れたエアが第３の区画室２３に流れるようになっている。また、冷却処理室８で冷却処理を終えて搬送コンベヤ６を通過したエアは、出口２４から第１の区画室（ヒータ側区画室）２１に排出される。第１の区画室２１には、切換通路（切換手段）３１が設けられ、第１の区画室２１を第２の区画室（熱交換器側区画室）２２または第３の区画室（ファン側区画室）２３のいずれか一方と連通させてエアを導くようになっている。
【００１５】
切換通路３１は、図２に示すように、第１の区画室２１の上部に設けられ、両端が第２の区画室２２と第３の区画室２３とにそれぞれ開口している。この切換通路３１は、揺動して第１の区画室２１を第２の区画室２２または第３の区画室２３のいずれか一方と連通するように切り換える切換バルブ（切換手段）３２を備えている。この切換バルブ３２は図示しない制御装置（制御手段）に接続され、指令信号に基づいて切り換え動作をするようになっている。
【００１６】
ヒータ１６は冷却処理室８を加熱滅菌するために設けられ、冷却部Ｃ内の加熱滅菌処理後の冷却時や生産運転時には、動作が停止される。ヒータ１６および熱交換器１８は図示しない制御装置により動作が制御されるようになっている。
【００１７】
第２の区画室２２と第３の区画室２３との間には、両室を仕切る炉壁（区画壁）３３が設けられる。この炉壁３３には、両区画室２２、２３を連通する開口部３４が形成され、この開口部３４には、開閉バルブ（切換手段）３６が設けられる。開閉バルブ３６は、図示しない制御装置（制御手段）からの指令に基づいて開口部３４を開閉するようになっている。このため、これら切換バルブ３２と開閉バルブ３６との動作に応じて、冷却処理室８から循環ファン１０を結ぶ経路は、冷却処理室８−第１の区画室２１−第３の区画室２３の順で形成される経路Ｃ１（図３の（Ａ）および（Ｂ）参照）と、冷却処理室８−第１の区画室２１−第２の区画室２２−第３の区画室２３の順で形成される経路Ｃ２（図３の（Ｃ）および（Ｄ）参照）との２つの循環経路のうちいずれか一方を選択できるようになっている。切換手段は第１ないし第３の区画室２１〜２３、切換通路３１、切換バルブ３２および開閉バルブ３６により構成される。
【００１８】
第２の区画室２２には、図２に示すように、外部と連通し外気を内部に導入する外気取り入れ口（外気取り入れ手段）４１が設けられる。この外気取り入れ口４１には、外気取り入れ口４１の開口部を開閉可能にかつ開口面積を可変に調整する可変バルブ（外気取り入れ手段）４２が取り付けられる。この可変バルブ４２は図示しない制御装置（制御手段）に接続され、指令信号に基づいて動作するようになっている。図示しない制御装置は、開閉バルブ３６と可変バルブ４２を制御し、内部に導入される外気の取り込み量を調整することができるようになっている。外気取り入れ手段は外気取り入れ口４１と可変バルブ４２とにより構成される。導入された外気は循環するエアに混合される。最も下流側の冷却部Ｃの冷却処理室８の下部には、図示していないが、排気用ファン（図示せず）と開閉弁（図示せず）を介して接続される外気導入時の排気ダクト（図示せず）が取り付けられており、冷却部Ｃ内に外気を取り込んだときに図示しない開閉弁を開き、逃がすようになっている。
【００１９】
可変バルブ４２が所定の開度で開かれると、図３の（Ｂ）および（Ｃ）に示すように、同時に開閉バルブ３６も開かれ、外気が経路Ｃ３を通じて内部に導入される。可変バルブ４２を閉じると、図３の（Ａ）および（Ｄ）に示すように、外気の導入は阻止され、冷却部Ｃの内部では、切換バルブ３２と開閉バルブ３６との動作に応じて、経路Ｃ１またはＣ２が形成されるようになっている。
【００２０】
冷却処理室８には、図２に示すように、エアの温度を検出するエア温度監視用温度計（温度検出手段）４５と炉内壁面の温度を検出する炉内壁面温度監視用温度計（温度検出手段）４６とが取り付けられる。これら各温度計４５、４６により検出されたエア温度と炉壁温度とのデータは図示しない処理装置（制御手段）に送出される。処理装置（図示せず）は、検出されたデータに基づいて図示しない制御装置により各バルブ３２、３６、４２を動作させるようになっている。
【００２１】
この冷却部Ｃ内のエアは、次の４つのパターンで循環される。まず、（I）図３の（Ａ）に示すように、切換バルブ３２を切り換えて第１の区画室２１と第３の区画室２３とを連通させ、開閉バルブ３６と可変バルブ４２とを閉じて形成される加熱経路・第１の冷却経路（経路Ｃ１のみ）と、（II）図３の（Ｂ）に示すように、切換バルブ３２はそのままで第１の区画室２１と第３の区画室２３とを連通させ、開閉バルブ３６と可変バルブ４２とを開いて形成される第２の冷却経路（経路Ｃ１＋経路Ｃ３）と、（III）図３の（Ｃ）に示すように、切換バルブ３２を切り換えて第１の区画室２１と第２の区画室２２とを連通させ、開閉バルブ３６と可変バルブ４２とを開いて形成される第３の冷却経路（経路Ｃ２＋経路Ｃ３）と、（IV）図３の（Ｄ）に示すように、切換バルブ３２はそのままで第１の区画室２１と第２の区画室２２とを連通させ、開閉バルブ３６を開いて可変バルブ４２を閉じて形成される運転経路（経路Ｃ２のみ）との４つのパターンである。なお、外気取り込み時であって前記第２の冷却経路（図３の（Ｂ）参照）を選択した際、冷却処理室８を冷却部Ｃの排気用ファン（図示しない）に連通させると、エアは冷却処理室８から外部に逃げる。
【００２２】
次に、上記実施の形態に係る乾燥滅菌機の動作について説明する。まず、冷却部Ｃの冷却処理部８の乾燥滅菌を行う場合、図３の（Ａ）に示すように、加熱経路（経路Ｃ１のみ）を選択し、ヒータ１６を動作させて冷却部Ｃ内の温度を上昇させるとともに、循環ファン１０によりエアを循環させる（昇温工程）。温度計４５、４６により冷却部Ｃ内の温度が所定の温度（本実施の形態の場合、例えば、熱風の温度をセ氏１８５度、炉内壁面温度をセ氏１７０度以上とする。）に達したことを検出すると、加熱滅菌開始となり、所定の時間ｔ１（本実施の形態の場合、例えば、３０分間）、加熱滅菌が行われる（滅菌工程）。これら昇温工程および滅菌工程の際には、熱交換器１８はオフの状態となっている。熱交換器１８の配置された第２の区画室２２は、炉壁３３により区画されて開閉バルブ３６も閉じているので、他の区画室２１、２３が所定の加熱滅菌温度に達してもセ氏１００度未満に保持されるようになっている。
【００２３】
所定の滅菌時間ｔ１経過後、滅菌工程が終了すると、冷却部Ｃ内を冷却する冷却工程（第１ないし第３の冷却工程）が開始される。滅菌工程終了直後は冷却部Ｃ内の温度がまだ高温状態であるため、第１の冷却工程では、加熱経路（経路Ｃ１のみ）のままヒータ１６をオフにして、第１の冷却経路（図３の（Ａ）参照）とし、所定時間ｔ２（本実施の形態の場合、例えば、２０分間）エアを循環させ、循環エアの温度をおよそセ氏１４０度から１５０度に低下させる。これは急激な温度変化による耐熱フィルタ（ＨＥＰＡフィルタ）１４の損傷を防ぐため、緩やかな冷却を図る目的で行う。
【００２４】
第１の冷却工程終了後、第２の冷却工程が開始される。第２の冷却工程では、図３の（Ｂ）に示すように、第２の冷却経路（経路Ｃ１＋経路Ｃ３）を選択し、外気取り入れ口４１から外気を取り入れるとともに、冷却処理室８を図示しない排気ファンと連通させ、エアを外部に排出する。この第２の冷却工程では、ヒータ１６も熱交換器１８もオフのままで、冷却処理室８を通過するエアがセ氏１００度以下になるまで続けられ、セ氏１００度以下に低下すると第２の冷却工程が終了する。
【００２５】
次に第２の冷却工程終了後、第３の冷却工程が開始される。第３の冷却工程では、図３の（Ｃ）に示すように、第３の冷却経路（経路Ｃ２＋経路Ｃ３）を選択し、ヒータ１６はオフのままで熱交換器１８をオンし、冷却処理室８と図示しない排気ファンとの連通を遮断し、外気取り入れ口４１から外気を取り入れる。この第３の冷却工程では、エアは、第１の区画室２１から第２の区画室２２を経由して第３の区画室２３に達する循環経路Ｃ２と外気取り入れ口４１から第２の区画室２２を経由して第３の区画室２３に達する合流経路Ｃ３に沿って流れ、第２の区画室２２を通過するエアは熱交換器１８により冷却されて循環ファン１０に導かれる。この第３の冷却工程は、循環エアの温度がセ氏１００度以下から、炉内壁の温度がセ氏６０度以下に低下すると、終了する。
【００２６】
次に、第３の冷却工程により、循環エアの温度および炉内壁の温度が生産運転に適した冷却温度に達すると、第３の冷却工程が終了し、冷却部Ｃ内の陽圧を保持して生産運転を行う運転工程が開始される。運転工程では、図３の（Ｄ）に示すように、運転経路（経路Ｃ２のみ）を選択し、ヒータ１６はオフ、熱交換器１８はオンのまま、冷却処理室８と図示しない排気ファンとの連通を遮断し、外気取り入れ口４１を閉じ、外気を取り入れないようにする。この運転工程では、エアは、第１の区画室２１から第２の区画室２２を経由して第３の区画室２３に達する循環経路Ｃ２にのみ沿って流れ、第２の区画室２２を通過するエアは熱交換器１８により冷却されて循環ファン１０に導かれる。
【００２７】
運転工程では、図３の（Ｄ）に示すように、運転経路（経路Ｃ２のみ）の状態から外気を調整して導入するようになっている。すなわち、ヒータ１６はオフ、熱交換器１８はオンのまま、冷却処理室８と図示しない排気ファンとの連通を遮断し、冷却部Ｃ内の陽圧を保持するため、外気取り入れ口４１の開口面積を可変バルブ４２により外気を調整して導入するようになっている。この運転工程では、熱交換器１８により循環エアの温度が所定の冷却温度に保持される。加熱部Ａで乾燥滅菌された容器（図示せず）が冷却部Ｃに搬入されると、冷却処理室８で冷却される。容器は冷却された後下流側の充填室（図示せず）に送られる。冷却部Ｃ内の陽圧度の変化に応じて可変バルブ４２が開度を調整して開かれ、冷却部Ｃ内は常に適正な陽圧度に保たれるようになっている。なお、図示しない排気ファンとの連通が遮断されているため、エアは冷却処理室８から加熱部Ａを通って挿入部Ｂへ逃げるようになる。また、第３の冷却工程終了後に、運転工程にすぐ入らず待機させる場合もあり、その際には、熱交換器１８をオフにして図３の（Ｂ）に示すように、外気を取り入れるようにしてもよい。さらに、図３の（Ｄ）に示す運転工程に入る前に、図３の（Ｄ）の状態のまま待機させる場合、熱交換器１８は稼動させなければならない。
【００２８】
このように、本実施の形態に係る乾燥滅菌機では、冷却部Ｃにエアを加熱して乾燥滅菌するヒータ１６を設け、冷却処理室８から循環ファン１０を結ぶ経路にヒータ１６と熱交換器１８とを順に区画して配置するとともに、ヒータ１６が配置された第１の区画室２１には、ヒータ１６を通過したエアを熱交換器１８または循環ファン１０のいずれか一方に切換える切換通路３１を設けたので、冷却部Ｃの冷却処理室８をヒータ１６により加熱して乾燥滅菌する際、熱交換器１８を加熱されたエアから遮断させるようにすることができるので熱の影響を受けにくい。このため、熱交換器１８の冷媒を給排水する必要がない。
【００２９】
また、本実施の形態に係る乾燥滅菌機では、循環ファン１０と熱交換器１８との間には、これらの間を区画する炉壁３３を設け、この炉壁３３に両者１０、１８を連通可能に遮断する開閉バルブ３６を設け、熱交換器１８が配置された第２の区画室２２には、外気を内部に導入する外気取り入れ口４１とこの外気取り入れ口４１を開閉可能にかつ開口面積を可変に調整する可変バルブ４２とを設け、開閉バルブ３６と可変バルブ４２とを制御し、外気を循環するエアに調整可能に混合する制御装置（図示せず）を設けたので、加熱滅菌後の冷却部Ｃ内を徐々にかつ速やかに冷却することができる。このため、耐熱フィルタ（ＨＥＰＡフィルタ）１４に対し激しい温度差の熱変化を与えることがなく、フィルタの損傷を防ぐことができる。また、外気取り入れ口４１の開口面積を可変に調整することができるので、外気の取り込み量を任意に変化させることができる。このため、冷却部Ｃ内部の陽圧度の管理を容易に行うことができる。
【００３０】
さらに、本実施の形態に係る乾燥滅菌機では、冷却処理室８に、冷却処理室８のエア温度を検出するエア温度監視用温度計４５と炉内壁面温度監視用温度計４６とが取り付けられるとともに、検出されたエア温度に基づいて、開閉バルブ３６と可変バルブ４２とのうち少なくともいずれか一方を選択して制御するようにしたので、乾燥滅菌後、冷却工程に移ると、エア温度を監視しながら、第１ないし第３の冷却工程への切り換えを行うことができる。このため、検出温度に基づいて速やかに次の工程（加熱工程、第１ないし第３の冷却工程、運転工程）に切り換えることができる。このため、冷却工程の時間を短縮することができる。
【００３１】
また、本実施の形態に係る乾燥滅菌機では、処理装置（図示せず）は、温度計４５、４６により検出されたエア温度に基づき、第１の区画室２１と第３の区画室２３とを連通させ、外気取り入れ口４１と開閉バルブ３６とをそれぞれ閉じて形成される加熱経路（第１の冷却経路）Ｃ１と、第１の区画室２１と第３の区画室２３とを連通させ、外気取り入れ口４１と開閉バルブ３６とをそれぞれ開いて形成される第２の冷却経路（Ｃ１＋Ｃ３）と、第１の区画室２１と第２の区画室２２とを連通させ、外気取り入れ口４１と開閉バルブ３６とをそれぞれ開いて形成される第３の冷却経路（Ｃ２＋Ｃ３）と、第１の区画室２１と第２の区画室２２とを連通させ、外気取り入れ口４１を閉じ開閉バルブ３６を開いて形成される運転経路Ｃ２との４つの経路のうち所定の経路を選択して切り換えるようにしているので、冷却工程時、エアの循環経路と外部からのエアの取り込みとを適宜切り換え、加熱後の高温のエアが熱交換器１８を通過しないようにすることができる。このため、熱交換器１８には冷媒の給排水設備を設ける必要がない。
【００３２】
なお、上記実施の形態では、加熱部Ａの加熱装置が１台、冷却部Ｃの送風浄化装置８、１０、１２、１４が上下流側に２台それぞれ設置されているがこれに限られるものではなく、加熱部Ａの加熱装置を２台としてもよいし、冷却部Ｃの送風浄化装置を１台または４台としてもよく、設計プランに応じて種々の組み合わせとしてもよいことはいうまでもない。また、図示しないが、挿入部Ｂ内は上部に送風ファンが下部に排気用のファンがそれぞれ設けられている。さらに、上記実施の形態では、第１の冷却工程から第２の冷却工程に切り換える場合、温度計４５により循環するエアの温度がおよそセ氏１４０度から１５０度に低下したのを検知して行うようにしているがこれに限られるものではなく、例えば、タイマーで行うようにしてもよい。また、上記実施の形態では、第３の冷却工程で、外気を取り入れるようにしているがこれに限られるものではなく、エアが所定の温度になると可変バルブ４２を閉じ外気の取り入れを停止するようにしてもよいし、可変バルブ４２の開度を徐々に下げ、外気の取り入れ量を徐々に少なくなるようにしてもよい。
【００３３】
【発明の効果】
以上説明したように本発明によれば、搬入される物品を加熱して乾燥滅菌を行う加熱部と、この加熱部から搬送される加熱された物品を冷却する冷却部とを備えた乾燥滅菌機において、冷却部には、エアを冷却する熱交換器と、エアをフィルタを介して冷却処理室に送り循環させるファンとを設けるとともに、エアを加熱して乾燥滅菌を行う加熱手段を設け、冷却処理室から熱交換器を経由してファンに到る経路と冷却処理室から熱交換器を迂回してファンに到る経路とに切換可能な切換手段を設けたことにより、冷却部の加熱後、熱交換器に高温のエアを通過させないようにすることができるので、熱交換器の冷媒の給排水が不要となり作業効率が向上するとともに設備の簡素化を図ることができる。
【００３４】
また、請求項２に係る乾燥滅菌機によれば、冷却部には、外気を取り入れ可能な外気取り入れ手段を設けたことにより、冷却部内に外気を取り込むことができるので、加熱後の冷却部内を徐々にかつ短時間で冷却することができる。このため、フィルタに激しい温度差を与えることがなく、フィルタの長寿命化を図る効果がある。
【図面の簡単な説明】
【図１】本発明の一実施の形態に係る乾燥滅菌機の一部破断側面図である。
【図２】図１のＩＩ−ＩＩ線に沿う断面図である。
【図３】（Ａ）ないし（Ｄ）はそれぞれ加熱工程から冷却工程を経て運転工程に到る工程毎のエアの流れを示す説明図である。
【符号の説明】
Ａ  加熱部
Ｃ  冷却部
８  冷却処理室
１０  循環ファン（ファン）
１４  耐熱フィルタ（フィルタ）
１６  ヒータ（加熱手段）
１８  熱交換器
３１  切換通路（切換手段）
３２  切換バルブ（切換手段）
【図１】
0003797275.tif 000002
【図２】
0003797275.tif 000003
【図３】
0003797275.tif 000004